(57)【特許請求の範囲】
【請求項１】
便器本体に洗浄水を供給する便器洗浄装置であって、
給水源に連通した給水路から流入する前記洗浄水を貯留し、この洗浄水を排出する排水口、及びこの排水口を開閉する排水弁を有する洗浄タンクと、
前記洗浄タンク内の前記洗浄水の水位に連動して昇降する浮き玉、前記給水路を開閉する第１主弁、この第１主弁の背面側に形成された第１背圧室、この第１背圧室と前記第１主弁の一次側とを連通した連通路、前記第１背圧室に設けられた第１排水路、及び前記浮き玉の昇降に連動して前記第１排水路を開閉するパイロット弁を有し、前記浮き玉の昇降に連動して前記給水路を開閉し、開弁すると前記給水路から前記洗浄タンク内に前記洗浄水が流入し、閉弁すると前記給水路から前記洗浄タンク内への前記洗浄水の流入が停止する第１開閉弁と、
前記第１開閉弁より上流側の前記給水路を分岐した分岐給水路から流入した前記洗浄水を蓄圧状態に貯留し、この洗浄水が流出する流出口を有する蓄圧タンクと、
上流側を前記流出口に連通し、下流側を前記便器本体に直接的に連通する流出路と、
前記流出路を開閉する第２主弁、及びこの第２主弁の背面側に形成され、前記第１背圧室に連通した第２背圧室とを有し、前記流出路を開閉し、開弁すると前記蓄圧タンク内に蓄圧状態で貯留された洗浄水が前記流出路を介して前記便器本体に流入する第２開閉弁とを備えていることを特徴とする便器洗浄装置。
【請求項２】
便器本体に洗浄水を供給する便器洗浄装置であって、
給水源に連通した給水路から流入する前記洗浄水を貯留し、この洗浄水を排出する排水口、及びこの排水口を開閉する排水弁を有する洗浄タンクと、
前記洗浄タンク内の前記洗浄水の水位に連動して昇降する浮き玉を有し、この浮き玉の昇降に連動して前記給水路を開閉する第１開閉弁と、
前記第１開閉弁より上流側の前記給水路を分岐した分岐給水路から流入した前記洗浄水を蓄圧状態に貯留し、この洗浄水が流出する流出口を有する蓄圧タンクと、
上流側を前記流出口に連通し、下流側を前記洗浄タンクに直接的に連通した流出路と、
前記流出路を開閉する第２開閉弁とを備えていることを特徴とする便器洗浄装置。
【請求項３】
前記第２開閉弁は前記第１開閉弁の開閉に連動して開閉することを特徴とする請求項２記載の便器洗浄装置。
【請求項４】
前記第１開閉弁は、前記給水路を開閉する第１主弁、この第１主弁の背面側に形成された第１背圧室、この第１背圧室と前記第１主弁の一次側とを連通した連通路、前記第１背圧室に設けられた第１排水路、前記浮き玉の昇降に連動して前記第１排水路を開閉するパイロット弁を有しており、
前記第２開閉弁は、前記流出路を開閉する第２主弁、及びこの第２主弁の背面側に形成され、前記第１背圧室に連通した第２背圧室とを有していることを特徴とする請求項２又は３記載の便器洗浄装置。
【請求項５】
前記洗浄タンク内に収納され、上方に開口して前記浮き玉を昇降自在に収納し、下端部に貫通孔を設けた容器を備えていることを特徴とする請求項１又は４記載の便器洗浄装置。
【請求項６】
前記洗浄タンクは、洗浄水の最高水位高さ近傍であって、前記浮き玉が配置されている領域と、前記流出路から洗浄水が流入する領域との間を仕切る仕切り壁を有していることを特徴とする請求項２記載の便器洗浄装置。
【請求項７】
前記蓄圧タンクは、
前記洗浄水の流入に伴い容積が増加し、前記流出口から前記洗浄水の流出に伴い容積が減少する第１室と、
この第１室の容積の増加に伴い容積を減少し、かつ、この第１室の容積の減少に伴い容積を増加し、前記便器本体の便器排水路に連通する第２室と、
前記第１室の容積を減少させる方向に弾性力を付与する弾性体とを有していることを特徴とする請求項１乃至６のいずれか１項記載の便器洗浄装置。
【請求項８】
前記流出路に設けられた流量調整機構を備えていることを特徴とする請求項７記載の便器洗浄装置。
【請求項９】
前記分岐給水路に設けられた圧力調整機構を備えていることを特徴とする請求項７又は８記載の便器洗浄装置。
【発明の詳細な説明】
【技術分野】
【０００１】
本発明は便器洗浄装置に関する。
【背景技術】
【０００２】
特許文献１の図１〜図５には、従来の便器洗浄装置が開示されている。この便器洗浄装置は便器本体に洗浄水を供給する蓄圧タンクを備えている。この蓄圧タンクは、ダイアフラムと、このダイアフラムを下方へ引き下げる方向に弾性力を付与する引張ばねとを有している。給水源に連通した給水路から蓄圧タンク内に洗浄水が流入する。これにより、蓄圧タンクのダイアフラムは引張ばねの弾性力に抗して上方へ押し上げられる。このようにして、この蓄圧タンクは洗浄水を蓄圧状態で貯留することができる。また、この蓄圧タンクは、蓄圧状態で貯留した洗浄水を排出して便器本体へ供給する排出口と、この排出口を開閉する排水弁とを有している。
【０００３】
この便器洗浄装置では、便器本体に洗浄水を供給するために排水弁を開弁すると、蓄圧タンクに蓄圧状態で貯留された洗浄水が便器本体に勢いよく流出する。このため、この便器洗浄装置はその水勢により便器洗浄を良好に行うことができる。また、この便器洗浄装置を採用することにより、蓄圧タンクの高さを低くしても洗浄水の水勢を保持することができるため、ローシルエットの水洗式便器を実現することができる。
【先行技術文献】
【特許文献】
【０００４】
【特許文献１】特開平５−３１１７１９号公報
【発明の概要】
【発明が解決しようとする課題】
【０００５】
しかし、特許文献１の便器洗浄装置では、１回の便器洗浄に使用する洗浄水の全量を蓄圧タンクに貯留するため、蓄圧タンクが大型化してしまう。また、蓄圧タンクは耐圧構造としなければならないため、形状に制限が生じてしまう。このため、蓄圧タンクを便器本体に取り付けるために便器本体が大型化してしまうおそれがある。
【０００６】
また、この便器洗浄装置では、引張ばねの弾性力によって排出口から便器本体へ洗浄水を勢いよく流出させる。このため、節水化のために洗浄水の総流量を減少させると、便器本体に流出する洗浄水の流出時間が短くなりすぎるおそれがある。便器本体に流出する洗浄水の流出時間が短いと、便器本体からの汚物等の排出が不充分になるおそれがある。特に、サイホン式便器の場合、サイホン作用が継続時間が短くなるため、便器本体からの汚物等の排出が不充分になるおそれがある。
【０００７】
本発明は、上記従来の実情に鑑みてなされたものであって、大型化せず、便器洗浄を良好に行うことができる便器洗浄装置を提供することを解決すべき課題としている。
【課題を解決するための手段】
【０００８】
本発明の便器洗浄装置は、便器本体に洗浄水を供給する便器洗浄装置であって、
給水源に連通した給水路から流入する前記洗浄水を貯留し、この洗浄水を排出する排水口、及びこの排水口を開閉する排水弁を有する洗浄タンクと、
前記洗浄タンク内の前記洗浄水の水位に連動して昇降する浮き玉、前記給水路を開閉する第１主弁、この第１主弁の背面側に形成された第１背圧室、この第１背圧室と前記第１主弁の一次側とを連通した連通路、前記第１背圧室に設けられた第１排水路、及び前記浮き玉の昇降に連動して前記第１排水路を開閉するパイロット弁を有し、この浮き玉の昇降に連動して前記給水路を開閉し、開弁すると前記給水路から前記洗浄タンク内に前記洗浄水が流入し、閉弁すると前記給水路から前記洗浄タンク内への前記洗浄水の流入が停止する第１開閉弁と、
前記第１開閉弁より上流側の前記給水路を分岐した分岐給水路から流入した前記洗浄水を蓄圧状態に貯留し、この洗浄水が流出する流出口を有する蓄圧タンクと、
上流側を前記流出口に連通し、下流側を前記便器本体に直接的に連通する流出路と、
前記流出路を開閉する第２主弁、及びこの第２主弁の背面側に形成され、前記第１背圧室に連通した第２背圧室とを有し、前記流出路を開閉し、開弁すると前記蓄圧タンク内に蓄圧状態で貯留された洗浄水が前記流出路を介して前記便器本体に流入する第２開閉弁とを備えていることを特徴とする。
【０００９】
この便器洗浄装置では、便器本体に供給する洗浄水を洗浄タンクと蓄圧タンクとに分けて貯留することができる。このため、蓄圧タンクの容量を必要最小限にすることができ、蓄圧タンクの大型化を防止することができる。また、蓄圧タンクの流出口を便器本体に直接的に連通した流出路は第２開閉弁によって開閉することができる。このため、第２開閉弁を設定したタイミングで開弁することにより、蓄圧タンクに貯留した洗浄水を便器洗浄に最適なタイミングで便器本体に流出させることができる。例えば、第２開閉弁は洗浄タンクの排水口の排水弁が開弁した後の所定時間経過後に開弁するとよい。第２開閉弁が開弁すると、蓄圧タンク内に蓄圧状態で貯留した洗浄水が流出路を介して便器本体に流入するため、便器本体に流入する洗浄水の単位時間当たりの流量が増加する。これにより、便器本体において、最適なタイミングでサイホン作用を発生させたり、サイホン作用を継続させたりすることができる。
【００１０】
したがって、本発明の便器洗浄装置は、大型化せず、便器洗浄を良好に行うことができる。
【００１１】
流出路は、便器本体の便器排水路に沿って洗浄水を噴出するジェットノズル、又は便器本体のリム通水路に向かって洗浄水を噴出するリム吐水口に連通するとよい。
【００１２】
本発明の他の便器洗浄装置は、便器本体に洗浄水を供給する便器洗浄装置であって、
給水源に連通した給水路から流入する前記洗浄水を貯留し、この洗浄水を排出する排水口、及びこの排水口を開閉する排水弁を有する洗浄タンクと、
前記洗浄タンク内の前記洗浄水の水位に連動して昇降する浮き玉を有し、この浮き玉の昇降に連動して前記給水路を開閉する第１開閉弁と、
前記第１開閉弁より上流側の前記給水路を分岐した分岐給水路から流入した前記洗浄水を蓄圧状態に貯留し、この洗浄水が流出する流出口を有する蓄圧タンクと、
上流側を前記流出口に連通し、下流側を前記洗浄タンクに直接的に連通した流出路と、
前記流出路を開閉する第２開閉弁とを備えていることを特徴とする。
【００１３】
この便器洗浄装置でも、便器本体に供給する洗浄水を洗浄タンクと蓄圧タンクとに分けて貯留することができる。このため、蓄圧タンクの容量を必要最小限にすることができ、蓄圧タンクの大型化を防止することができる。また、蓄圧タンクの流出口を洗浄タンクに直接的に連通した流出路は第２開閉弁によって開閉することができる。このため、第２開閉弁を設定したタイミングで開弁することにより、蓄圧タンクに貯留した洗浄水を便器洗浄に最適なタイミングで洗浄タンクに流出させることができる。例えば、第２開閉弁は洗浄タンクの排水口の排水弁が開弁した後の所定時間経過後に開弁するとよい。第２開閉弁を開弁すると、蓄圧タンク内に蓄圧状態で貯留した洗浄水が流出路を介して洗浄タンク内に流入するため、洗浄タンク内の洗浄水が増加し、洗浄タンクの排水口からの洗浄水の流出を継続させることができる。これにより、便器本体において、最適なタイミングでサイホン作用を発生させたり、サイホン作用を継続させたりすることができる。
【００１４】
したがって、本発明の他の便器洗浄装置も、大型化せず、便器洗浄を良好に行うことができる。
【００１５】
前記第２開閉弁は前記第１開閉弁の開閉に連動して開閉し得る。この場合、洗浄タンクに貯留した洗浄水と蓄圧タンクに蓄圧状態に貯留した洗浄水とを連動して便器本体又は洗浄タンク内に供給することができる。
【００１６】
前記第１開閉弁は、前記給水路を開閉する第１主弁、この第１主弁の背面側に形成された第１背圧室、この第１背圧室と前記第１主弁の一次側とを連通した連通路、前記第１背圧室に設けられた第１排水路、前記浮き玉の昇降に連動して前記第１排水路を開閉するパイロット弁を有しており、
前記第２開閉弁は、前記流出路を開閉する第２主弁、及びこの第２主弁の背面側に形成され、前記第１背圧室に連通した第２背圧室とを有し得る。
【００１７】
この場合、浮き玉が設定位置より下方へ下降すると、パイロット弁を開弁して第１排水路を開放させることができる。これにより、第１背圧室内の洗浄水が流出して第１主弁が開弁する。つまり、洗浄タンク内の水位が設定水位以下に低下すると、第１開閉弁が開弁して給水路を開放し、洗浄タンク内に洗浄水を流入させることができる。また、第１背圧室内の洗浄水が流出すると、第１背圧室に連通した第２背圧室内の洗浄水も流出して第２主弁も開弁する。つまり、洗浄タンク内の水位が設定水位以下に低下すると、第２開閉弁も開弁して流出路を開放し、蓄圧タンク内に蓄圧状態で貯留した洗浄水を流出させることができる。
【００１８】
また、浮き玉が設定位置より上昇すると、パイロット弁を閉弁して第１排水路を閉鎖させることができる。これにより、第１背圧室内及び第２背圧室内に洗浄水を流入させて満水状態にし、第１主弁及び第２主弁を閉弁させることができる。つまり、洗浄タンク内の水位が設定水位に上昇すると、第１開閉弁及び第２開閉弁を閉弁させることができる。第１開閉弁が閉弁して給水路を閉鎖すると、洗浄タンク内への洗浄水の流入が停止する。また、第２開閉弁が閉弁して流出路を閉鎖すると、蓄圧タンク内から洗浄水の流出を停止し、分岐給水路から蓄圧タンク内に流入した洗浄水を蓄圧状態で貯留することができる。このように、無電源で第１開閉弁と第２開閉弁とを連動して、洗浄タンク及び蓄圧タンクに貯留した洗浄水を流出させたり、洗浄タンク及び蓄圧タンクに洗浄水を貯留させたりすることができる。
【００１９】
前記洗浄タンク内に収納され、上方に開口して前記浮き玉を昇降自在に収納し、下端部に貫通孔を設けた容器を備え得る。この場合、容器内の洗浄水は貫通孔から流出する。このため、排水弁が開弁して洗浄タンク内の洗浄水が排水口から排出し始めると、洗浄タンク内であって容器の外側の水位の低下に比べ、容器内の水位の低下を遅らせることができる。つまり、排水弁が開弁してから浮き玉が設定位置より下方に下降するまでの間にタイムラグを生じさせることができる。このようにすると、排水弁が開弁してから第１開閉弁及び第２開閉弁が開弁するまでの間にタイムラグが生じ、洗浄タンク内の洗浄水が排水口から排出し始めてから所定時間経過後に蓄圧タンク内に蓄圧状態で貯留した洗浄水を流出させることができる。これにより、便器本体において、最適なタイミングでサイホン作用を発生させたり、サイホン作用を継続させたりすることができる。
【００２０】
前記洗浄タンクは、洗浄水の最高水位高さ近傍であって、前記浮き玉が配置されている領域と、前記流出路から洗浄水が流入する領域との間を仕切る仕切り壁を有し得る。この場合、蓄圧タンクから流出路を介して勢いよく洗浄タンク内に流入する洗浄水により生じる洗浄タンク内の洗浄水の波立ちが仕切り壁により浮き玉が配置されている領域に伝搬することを防止することができる。このため、第１開閉弁を閉弁する設定位置より上昇した浮き玉が上下に遥動せず第１開閉弁の閉弁を安定して行うことができる。
【００２１】
前記蓄圧タンクは、
前記洗浄水の流入に伴い容積が増加し、前記流出口から前記洗浄水の流出に伴い容積が減少する第１室と、
この第１室の容積の増加に伴い容積を減少し、かつ、この第１室の容積の減少に伴い容積を増加し、前記便器本体の便器排水路に連通する第２室と、
前記第１室の容積を減少させる方向に弾性力を付与する弾性体とを有し得る。
【００２２】
この場合、蓄圧タンクを簡易な構造で形成することができ、小型化を図ることができる。また、第１室に蓄圧状態で貯留した洗浄水を排出すると同時に、第２室に便器本体の便器排水路内の空気を吸引することができる。蓄圧状態で貯留した洗浄水を便器本体などへ流入させ、かつ便器排水路内の空気を吸引することにより、少ない洗浄水で便器排水路内にサイホン作用を発生させたり、サイホン作用を継続させたりすることができる。
【００２３】
前記流出路に設けられた流量調整機構を備え得る。この場合、流量調整機構により蓄圧タンクの第１室に蓄圧状態で貯留された洗浄水の単位時間当たりの流出流量を調整することができる。蓄圧タンクの第１室の容積の減少に伴い第２室の容積が増加するため、第２室が便器排水路内の空気を吸引する単位時間当たりの吸引流量も調整することができる。このため、この便器洗浄装置が取り付けられる便器本体の種類の相違や、この便器洗浄装置を採用した水洗式便器の施工現場の相違によって、洗浄水の単位時間当たりの流出流量や便器排水路内の空気の単位時間当たりの吸引流量を便器洗浄に最適になるように調整することができる。
【００２４】
前記分岐給水路に設けられた圧力調整機構を備え得る。この場合、分岐給水路の下流側に連通した蓄圧タンクの耐圧性能を低下させることができる。このため、蓄圧タンクは、構造を簡略化したり、耐圧性の低い材料にしたりすることができるため、蓄圧タンクを安価に製造することができる。また、蓄圧タンクをより小型にすることができる。
【図面の簡単な説明】
【００２５】
【図１】実施例１の便器洗浄装置を示す模式図である。
【図２】実施例１〜３の第１開閉弁及び第２開閉弁を示す概略図である。
【図３】実施例１〜３の蓄圧タンクの動作を示す概略図である。
【図４】実施例２の便器洗浄装置を示す模式図である。
【図５】実施例３の便器洗浄装置を示す模式図である。
【発明を実施するための形態】
【００２６】
本発明の便器洗浄装置を具体化した実施例１〜３を図面を参照しつつ説明する。
【００２７】
＜実施例１＞
実施例１の便器洗浄装置１０は、図１に示すように、便器本体１に洗浄水を供給する。便器本体１は、便鉢２と、便鉢２の下流側に連通する便器排水路３と、便鉢２の上端開口の内周縁に形成されたリム通水路４とを有している。また、便器本体１は、便器排水路３に沿って洗浄水を噴出するジェットノズル５が便器排水路５の上流下端部に取り付けられている。
【００２８】
便器洗浄装置１０は洗浄タンク２０を備えている。洗浄タンク２０は図示しない給水源に連通した給水路１１に連通しており、この給水路１１から流入する洗浄水を貯留する。洗浄タンク２０は、洗浄水を排出する排水口２１、及び排水口２１を開閉する排水弁２２を備えている。排水弁２２は、図示しない球鎖の下端部に連結されている。この球鎖は、図示しない便器洗浄スイッチが操作されると駆動する駆動モーターにより回転するシャフトに連結されている。排水弁２２は、便器洗浄スイッチが操作されると球鎖を介して引き上げられ、排水口２１を開放する。排水口２１から流出した洗浄水は便器本体１の後部上方から便器本体１内へ流入する。便器本体１内へ流入した洗浄水は、リム吐水口４Ａからリム通水路４に沿って流出し、便鉢２の内面を旋回しながら便鉢２の下方へ流れ落ちる。
【００２９】
洗浄タンク２０内には容器２３が収納されている。容器２３は上方に開口して後述する浮き玉３１を昇降自在に収納し、下端部に貫通孔２４が貫設されている。貫通孔２４の開口面積は排水口２１の開口面積よりも小さく形成されている。容器２３内の洗浄水は貫通孔２４から流出するため、排水弁２２が開弁されて洗浄水が排水口２１から流出すると、洗浄タンク２０内であって容器２３の外側の水位の低下に比べ、容器２３内の水位の低下を遅らせることができる。
【００３０】
便器洗浄装置１０は給水路１１を開閉する第１開閉弁３０を備えている。第１開閉弁３０は洗浄タンク２０内に収納された容器２３内の洗浄水の水位に連動して昇降する浮き玉３１を有している。第１開閉弁３０は、図２に示すように、給水路１１を開閉するダイアフラム式の第１主弁３２を有している。この第１主弁３２の背面側に第１背圧室３３が形成されている。第１主弁３２には、第１背圧室３３と第１主弁３２の一次側とを連通した連通路を形成する第１小孔３４が貫設されている。第１背圧室３３には外部に開口した第１排水路３５が設けられている。第１排水路３５はパイロット弁３６により開閉される。パイロット弁３６は一端が浮き玉３１に連結したアーム３１Ａの他端に連結されている。
【００３１】
このパイロット弁３６は、容器２３内の洗浄水の水位が低下し、浮き玉３１が設定位置より下方へ下降すると、開弁して第１排水路３５を開放する。これにより、第１背圧室３３内の洗浄水が流出して第１主弁３２が開弁する。つまり、容器２３内の水位が設定水位以下に低下すると、第１開閉弁３０が開弁して給水路１１を開放し、給水路１１から洗浄タンク２０内に洗浄水が流入する。
【００３２】
また、このパイロット弁３６は、容器２３内の洗浄水の水位が上昇し、浮き玉３１が設定位置より上昇すると、閉弁して第１排水路３５を閉鎖する。これにより、第１背圧室３３内に第１小孔３４から洗浄水が流入して満水状態になると第１主弁３２が閉弁する。つまり、容器２３内の水位が設定水位に上昇すると、第１開閉弁３０が閉弁して給水路１１を閉鎖し、給水路１１から洗浄タンク２０内への洗浄水の流入が停止する。
【００３３】
給水路１１は、図１及び図３に示すように、第１開閉弁３０より上流側で分岐給水路１２を分岐している。便器洗浄装置１０は、分岐給水路１２から流入した洗浄水を蓄圧状態に貯留し、この洗浄水が流出する流出口４１Ａを有する蓄圧タンク４０を備えている。
【００３４】
分岐給水路１２には逆止弁１３と圧力調整機構１４とが設けられている。逆止弁１３は圧力調整機構１４の上流側に配置されている。逆止弁１３は、給水路１１側から蓄圧タンク４０側への洗浄水の流れを許容し、その逆の流れを阻止する。これにより、蓄圧タンク４０内に蓄圧状態で貯留した洗浄水が給水路１１側へ流出することを防止している。圧力調整機構１４は減圧弁等によって構成されている。この圧力調整機構１４は、その下流側の給水圧力を設定圧力以下に低下させるものであるため、分岐給水路１２の下流端に連通した蓄圧タンク４０は、耐圧性能を低くすることができる。このため、後述するように、蓄圧タンク４０は、構造を簡略化したり、耐圧性能の低い材料にしたりすることができ、安価に製造することができる。また、蓄圧タンク４０をより小型にすることができる。このため、蓄圧タンク４０は便器本体１の空いたスペースに配置することができる。よって、この便器洗浄装置１０を採用した水洗式便器の大型化を避けることができる。
【００３５】
蓄圧タンク４０は、上下方向に移動する隔壁４４により分離され、隔壁４４より下方に形成された第１室４１と、隔壁４４より上方に形成された第２室４２とを有している。第１室４１と第２室４２とは気密性及び水密性を有している。また、蓄圧タンク４０は、第１室４１の容積を減少させる方向に弾性力を付与する弾性体４３を有している。この弾性体４３は圧縮コイルばねであり、第２室４２内に収納されている。
【００３６】
第１室４１は分岐給水路１２に連通し、洗浄水が流入すると弾性体４３の弾性力に抗して隔壁４４を上昇させて容積を増加しつつ、洗浄水を蓄圧状態で貯留することができる（図３（Ａ）参照）。また、第１室４１は下端部に流出口４１Ａを開口している。流出口４１Ａには、流出路５０が連通している。流出路５０は下流側を便器本体１に取り付けられたジェットノズル５に直接的に連通している。このため、第１室４１に蓄圧状態で貯留した洗浄水をジェットノズル５から噴出させることができる。
【００３７】
第２室４２は吸排気路７０を介して便器本体１の便器排水路３の上端部に連通している。このため、隔壁４４が下降して第２室４２の容積を増加すると、吸排気路７０を介して便器排水路３内の空気を第２室４２側に吸引することができる（図３（Ｂ）、（Ｃ）参照）。また、隔壁４４が上昇して第２室４２の容積が減少すると、吸排気路７０を介して第２室４２内の空気を便器排水路３側に排出することができる。
【００３８】
流出路５０には第２開閉弁６０と流量調整機構５１とが設けられている。第２開閉弁６０は流量調整機構５１の上流側に配置されている。第２開閉弁６０は、図２に示すように、流出路５０を開閉するダイアフラム式の第２主弁６１を有している。この第２主弁６１の背面側に第２背圧室６２が形成されている。第２背圧室６２は第２排水路６４を介して第１背圧室３３に連通している。第２排水路６４には逆止弁６５が設けられている。逆止弁６５は第２背圧室６２側から第１背圧室３３側への洗浄水の流れを許容し、その逆の流れを阻止する。第２主弁６１には、第２背圧室６２と第２主弁６１の一次側とを連通した第２小孔６３が貫設されている。
【００３９】
第２開閉弁６０は第１開閉弁３０が開弁すると開弁する。つまり、第１開閉弁３０が開弁する際に、パイロット弁３６が開弁して第１排水路３５から第１背圧室３３内の洗浄水が流出すると、第２排水路６４を介して第２背圧室６２内の洗浄水も流出する。このため、第１主弁３２が開弁するのと略同時に第２主弁６１も開弁する。第２主弁６１が開弁すると、第１室４１に蓄圧状態で貯留した洗浄水が、流出路５０を介してジェットノズル５から噴出する。この際、第２室４２の容積が増加し、吸排気路７０を介して便器排水路３内の空気を第２室４２側に吸引する。
【００４０】
第２開閉弁６０は第１開閉弁３０が閉弁すると閉弁する。つまり、第１開閉弁３０が閉弁する際に、パイロット弁３６が閉弁して第１排水路３５を閉鎖すると、第１小孔３４から第１背圧室３３内に流入した洗浄水で第１背圧室３３内が満水状態になる。すると、第２背圧室６２から第１背圧室３３へ洗浄水が流れなくなり、第２小孔６３から第２背圧室６２内に流入した洗浄水で第２背圧室６２が満水状態になり第２主弁６１が閉弁する。この際、第２排水路６４に逆止弁６５が設けられているため、第１背圧室３３から第２背圧室６２側に洗浄水は流れない。このため、第１背圧室３３内に流入した洗浄水により早期に第１背圧室３３を満水状態にすることができ、第１開閉弁３０を早期に閉弁することができる。
【００４１】
第２主弁６１が閉弁すると、分岐給水路１２から流入する洗浄水が弾性体４３の弾性力に抗して隔壁４４を上昇させる。これにより、第１室４１の容積が増加しつつ、第１室４１内に洗浄水を蓄圧状態で貯留する。この際、第２室４２の容積が減少し、吸排気路７０を介して第２室４２内の空気を便器排水路３側に排出する。
【００４２】
次に、このように構成された便器洗浄装置１０が便器本体１に洗浄水を供給して行う便器洗浄について説明する。
【００４３】
［便器洗浄待機状態］
洗浄タンク２０の排水弁２２は排水口２１を閉鎖し、洗浄タンク２０及び容器２３は設定した最高水位で洗浄水を貯留している。また、蓄圧タンク４０の第１室４１は、図３（Ａ）に示すように、容積を最大にした状態で洗浄水を蓄圧状態で貯留している。第１開閉弁３０及び第２開閉弁６０は閉弁している。この状態で便器洗浄装置１０は便器洗浄を開始可能に待機する。
【００４４】
［便器洗浄開始・初期洗浄］
図示しない洗浄スイッチが操作されると、排水弁２２が引き上げられて排水口２１が開放する。排水口２１から流出した洗浄水は、リム吐水口４Ａからリム通水路４に沿って流出し、便鉢２の内面を旋回しながら便鉢２の下方へ流れ落ちる。これにより、便鉢２内の洗浄水の水位は上昇する。この間、洗浄タンク２０内であって容器２３の外側の水位及び容器２３の内側の水位は低下する。容器２３の内側の水位の低下速度は、洗浄タンク２０内であって容器２３の外側の水位の低下速度に比べて遅い。浮き玉３１が設定位置より下方に下降するまでは、第１開閉弁３０は閉弁したままである。
【００４５】
［所定時間経過後・サイホン作用発生］
容器２３の内側の水位がさらに下降し、浮き玉２３が設定位置より下方に下降すると、上述したように、第１開閉弁３０と第２開閉弁６０とが開弁する。
【００４６】
第１開閉弁３０が開弁すると、給水路１１が開放され、洗浄タンク２０内に洗浄水が流入する。また、第２開閉弁６０が開弁すると、図３（Ｂ）に示すように、流出路５０が開放され、蓄圧タンク４０の第１室４１内に蓄圧状態で貯留した洗浄水がジェットノズル５から噴出する。また、蓄圧タンク４０の第２室４２の容積が増加し、吸排気路７０を介して便器排水路３内の空気を第２室４２側に吸引する。この際、便鉢２内の洗浄水の水位はリム吐水口４Ａから流出した洗浄水により上昇している。このため、ジェットノズル５からの洗浄水の噴出、便器排水路３内の空気の吸引、及び便鉢２内の洗浄水の水頭圧の増加の相乗効果により、少ない洗浄水でも便器排水路３内にサイホン作用を発生させることができる。サイホン作用により、便鉢４内の汚物等を便器排水路３の下流側へ排出することができる。このように、所定時間経過後に第２開閉弁６０を開弁することにより、最適なタイミングでサイホン作用を発生させることができる。
【００４７】
［サイホン作用継続］
洗浄タンク２０の排水口２１から流出する洗浄水の単位時間当たりの流量は、排水弁２２の開弁後、徐々に減少する。一方、蓄圧タンク４０の第１室４１から流出し、ジェットノズル５から流出する洗浄水より、便器排水路３に流入する洗浄水の単位時間当たりの流量は増加する。このため、便器排水路３内の洗浄水が減少し、サイホン作用が終了してしまうことを防止することができる。このように、便器排水路３内のサイホン作用を継続させ、汚物等の排出を良好に行うことができる。この際、ジェットノズル５から流出する洗浄水の単位時間当たりの流出流量や第２室４２が吸引する便器排水路３内の空気の単位時間当たりの吸引流量は、流出路５０に設けられた流量調整機構５１により便器洗浄に最適になるよう調整することができる。
【００４８】
［サイホン作用終了］
蓄圧タンク４０の第１室４１内に蓄圧状態で貯留された洗浄水が排出され、洗浄タンク２０の排水口２１が排水弁２２により閉弁すると、便器排水路３内の洗浄水が減少して、サイホン作用が終了する。
【００４９】
［洗浄タンク内及び便鉢内への洗浄水の貯留］
洗浄タンク２０の排水口２１が排水弁２２により閉弁すると、洗浄タンク２０及び容器２３内に洗浄水が貯留される。容器２３内の洗浄水が設定水位に上昇するまで第１開閉弁３０及び第２開閉弁６０は閉弁しない。このため、図３（Ｃ）に示すように、分岐給水路１２、第１室４１及び流出路５０を介してジェットノズル５から洗浄水が流出する。この洗浄水が便鉢２及び便器排水路３内に貯留し、封水が形成される。
【００５０】
［蓄圧タンク内への洗浄水の貯留］
容器２３内の洗浄水が設定水位に上昇すると、第１開閉弁３０は閉弁する。これにより、洗浄タンク２０内への洗浄水の流入が停止する。また、第１開閉弁３０が閉弁すると第２開閉弁６０も閉弁する。これにより、蓄圧タンク４０の第１室４１内に分岐給水路１２から流入する洗浄水が弾性体４３の弾性力に抗して隔壁４４を上昇させて第１室４１の容積を増加しつつ、洗浄水を蓄圧状態で貯留する（図３（Ａ）参照）。こうして、便器洗浄装置１０は便器洗浄の待機状態に復帰する。
【００５１】
このように実施例１の便器洗浄装置１０は、便器本体１に供給する洗浄水を洗浄タンク２０と蓄圧タンク４０とに分けて貯留しているため、蓄圧タンク４０の容量を必要最小限にすることができ、蓄圧タンク４０の大型化を防止することができる。また、蓄圧タンク４０の第１室４１に貯留した洗浄水を便器洗浄に最適なタイミングでジェットノズル５から流出させ、サイホン作用を発生させたり、サイホン作用を継続させたりすることができる。
【００５２】
したがって、実施例１の便器洗浄装置１０は、大型化せず、便器洗浄を良好に行うことができる。
【００５３】
＜実施例２＞
実施例２の便器洗浄装置１１０は、図４に示すように、流出路５０の下流側をリム通水路４に向かって洗浄水を噴出するリム吐水口４Ａに直接的に連通している。便器本体１は便器排水路３に沿って洗浄水を噴出するジェットノズルを設けていない。他の構成は実施例１と同様であり、同一の構成については同一の符号を付し詳細な説明を省略する。
【００５４】
この便器洗浄装置１１０では、便器本体１に洗浄水を供給して行う便器洗浄において、第２開閉弁６０が開弁すると、蓄圧タンク４０の第１室４１内に蓄圧状態で貯留した洗浄水がリム吐水口４Ａから噴出する。これにより、便鉢２内の洗浄水の水位が高い位置に保持される。このため、便器排水路３内の空気の吸引と、便鉢２内の洗浄水の水頭圧の増加の相乗効果により、少ない洗浄水でも便器排水路３内にサイホン作用を発生させることができる。また、便鉢２内の洗浄水が急激に減少することを防止し、サイホン作用を継続させることができる。
【００５５】
したがって、実施例２の便器洗浄装置１１０も、大型化せず、便器洗浄を良好に行うことができる。
【００５６】
＜実施例３＞
実施例３の便器洗浄装置２１０は、図５に示すように、流出路５０の下流側を洗浄タンク２０に直接的に連通している。また、洗浄タンク２０は、洗浄水の最高水位高さ近傍であって、浮き玉３１が配置されている領域と、流出路５０から洗浄水が流入する領域との間を仕切る仕切り壁２５を有している。便器本体１は便器排水路３に沿って洗浄水を噴出するジェットノズルを設けていない。他の構成は実施例１と同様であり、同一の構成については同一の符号を付し詳細な説明を省略する。
【００５７】
この便器洗浄装置２１０では、便器本体１に洗浄水を供給して行う便器洗浄において、第２開閉弁６０が開弁すると、蓄圧タンク４０の第１室４１内に蓄圧状態で貯留した洗浄水が洗浄タンク２０内に噴出する。これにより、洗浄タンク２０内の洗浄水が増加し、洗浄タンク２０の排水口２１からの洗浄水の流出を継続させることができる。これにより、便器本体１のリム吐水口４Ａから流出する洗浄水が増加し、便鉢２内の洗浄水の水位が高い位置に保持される。このため、便器排水路３内の空気の吸引と、便鉢２内の洗浄水の水頭圧の増加の相乗効果により、少ない洗浄水でも便器排水路３内にサイホン作用を発生させることができる。また、便鉢２内の洗浄水が急激に減少することを防止し、サイホン作用を継続させることができる。
【００５８】
したがって、実施例３の便器洗浄装置２１０も、大型化せず、便器洗浄を良好に行うことができる。
【００５９】
また、仕切り壁２５により、蓄圧タンク４０から流出路５０を介して勢いよく洗浄タンク２０内に流入する洗浄水により生じる洗浄タンク２０内の洗浄水の波立ちが浮き玉３１が配置されている領域に伝搬することを防止することができる。このため、第１開閉弁３０を閉弁する設定位置より上昇した浮き玉３１が上下に遥動せず第１開閉弁３０の閉弁を安定して行うことができる。
【００６０】
本発明は上記記述及び図面によって説明した実施例に限定されるものではなく、例えば次のような実施例も本発明の技術的範囲に含まれる。
（１）実施例１〜３では、蓄圧タンクの第２室を便器排水路に連通し、便器排水路の空気を吸引したが、蓄圧タンクは蓄圧状態で貯留した洗浄水を便器本体又は洗浄タンクに吐水するのみでよく、便器排水路の空気を吸引しなくてもよい。
（２）実施例１〜３では、第１開閉弁と第２開閉弁との開閉を無電源で連動させたが、第１開閉弁及び第２開閉弁を電気式にして電気的に連動させてもよい。又は、第２開閉弁のみを電気式にして電気的に開閉させてもよい。
（３）実施例１〜３では、分岐給水路に圧力調整機構を設けたが、圧力調整機構を設けなくてもよい。
（４）実施例１〜３では、分岐給水路に逆止弁を設けたが、蓄圧タンクに逆流防止機構を組み込んでもよい。
（５）実施例１〜３では、流出路に流量調整機構を設けたが、流量調整機構を設けなくてもよい。又は、蓄圧タンクに流量調整機構を組み込んでもよい。
（６）実施例１〜３では、第１主弁に第１小孔を貫設したが、第１主弁に第１小孔を貫設せず、第１背圧室と第２背圧室を連通する連通路を別途設けてもよい。
（７）実施例１〜３では、第２排水路に逆止弁を設けたが、逆止弁を設けなくてもよい。この場合、第２主弁には第２小孔を貫設しない。
【符号の説明】
【００６１】
１…便器本体
３…便器排水路
１０、１１０、２１０…便器洗浄装置
１１…給水路
１２…分岐給水路
１４…圧力調整機構
２０…洗浄タンク
２１…排水口
２２…排水弁
２３…容器
２４…貫通孔
２５…仕切り壁
３０…第１開閉弁
３１…浮き玉
３２…第１主弁
３３…第１背圧室
３４…第１小孔（連通路）
３５…第１排水路
３６…パイロット弁
４０…蓄圧タンク
４１…第１室
４１Ａ…流出口
４２…第２室
４３…弾性体
５０…流出路
５１…流量調整機構
６０…第２開閉弁
６１…第２主弁
６２…第２背圧室
【図１】
0005726449.tif 000002
【図２】
0005726449.tif 000003
【図３】
0005726449.tif 000004
【図４】
0005726449.tif 000005
【図５】
0005726449.tif 000006